【手続補正書】
【提出日】令和3年10月5日(2021.10.5)
【手続補正１】
【補正対象書類名】特許請求の範囲
【補正対象項目名】全文
【補正方法】変更
【補正の内容】
【特許請求の範囲】
【請求項１】
コンテナ装置であって、
取付け手段と、
接続手段によって前記取付け手段に接続された蓋と、
前記取付け手段にスライド可能に接続された、廃棄物用コンテナを支持するように適合されたフレームであって、前記フレームが、前記廃棄物用コンテナの開口端が前記蓋によって完全に覆われる第１フレーム位置と、前記第１位置から第１方向にずれた第２フレーム位置との間でスライド可能である、フレームとを備え、
前記接続手段が、前記フレームが前記第１フレーム位置にあるときに前記蓋が前記廃棄物用コンテナの前記開口端を覆う第１蓋位置と、前記第１蓋位置の上方にあり、前記第１蓋位置から前記第１方向と反対の第２方向にずれた第２蓋位置であって、前記蓋が前記第２位置にあるとき、前記蓋と前記廃棄物用コンテナまたは前記フレームとの間に接触がない第２蓋位置との間で、前記蓋を移動させるように構成されており、
前記装置が、前記フレームが前記第１フレーム位置から前記第２フレーム位置に移動されるときに前記蓋を前記第２蓋位置に移動させるように構成された蓋移動手段をさらに備える、コンテナ装置。
【請求項２】
前記接続手段が、前記取付け手段に回転可能に接続された少なくとも２つのアームを備える、請求項１に記載のコンテナ装置。
【請求項３】
前記接続手段が、前記取付け手段の上壁に回転可能に接続された、請求項１または２に記載のコンテナ装置。
【請求項４】
前記接続手段が、前記取付け手段の側壁に回転可能に接続された、請求項１または２に記載のコンテナ装置。
【請求項５】
前記接続手段が、少なくとも第１アームと第２アームとを備え、前記第１アームが、前記第２アームから前記第１方向に離間している、請求項１〜４のいずれか一項に記載のコンテナ装置。
【請求項６】
前記アームおよび前記蓋が、少なくとも１つの平行四辺形連結を形成している、請求項５に記載のコンテナ装置。
【請求項７】
前記蓋を持ち上げて前記蓋を前記第１方向に移動させると、前記蓋が前記接続手段から取り外されるように、前記蓋が、前記接続手段に解除可能に接続できる、請求項１〜６のいずれか一項に記載のコンテナ装置。
【請求項８】
前記蓋には、前記蓋を前記接続手段に解除可能に接続するフック手段が設けられている、請求項７に記載のコンテナ装置。
【請求項９】
コンテナ装置と共に使用する蓋移動手段であって、前記コンテナ装置が、
取付け手段と、
接続手段によって前記取付け手段に接続された蓋と、
前記取付け手段にスライド可能に接続された、廃棄物用コンテナを支持するように適合されたフレームであって、前記フレームが、前記廃棄物用コンテナの開口端が前記蓋によって完全に覆われる第１フレーム位置と、前記第１位置から第１方向にずれた第２フレーム位置との間でスライド可能である、フレームとを備え、
前記蓋移動手段が、
ベースと、
使用中に前記蓋に当接するように構成された蓋係合手段を有する作動手段であって、第１作動手段位置と前記第１作動手段位置からずれた第２作動手段位置との間で前記ベースに対して移動可能な作動手段と、
使用中に、前記フレームが前記第１フレーム位置から前記第２フレーム位置に移動する場合を検出するフレーム位置検出手段とを備え、
使用中に、前記フレームが前記第１フレーム位置から前記第２フレーム位置に移動したことを前記フレーム位置検出手段が検出すると、前記作動手段が前記第２作動手段位置に移動し、
前記フレーム位置検出手段は、前記フレームが前記第１フレーム位置から前記第２フレーム位置に移動するとき、前記ベースに対して移動可能な当接部材を備え、前記作動手段は、前記作動手段が前記第１作動手段位置から前記第２作動手段位置に移動するとき、前記蓋係合手段が前記当接部材に対して反対方向に移動するように構成される、蓋移動手段。
【請求項１０】
前記蓋移動手段が、前記当接部材が前記ベースに対して移動するとき、前記ベースに対して前記作動手段を移動させるように構成された伝達手段をさらに備える、請求項９に記載の蓋移動手段。
【請求項１１】
前記伝達手段が、前記当接部材と係合する第１端部と、前記作動手段と係合する第２端部とを有する伝達部材を備え、前記伝達部材が、前記第１および第２端部の中間に設けられた回転可能な接続部によって前記ベースに接続されている、請求項１０に記載の蓋移動手段。
【請求項１２】
前記作動手段が、前記第２作動手段位置に向かって付勢される、請求項９〜１１のいずれか一項に記載の蓋移動手段。
【請求項１３】
前記第１作動手段位置と前記第２作動手段位置との間の前記作動手段の移動が、第１蓋係合手段位置と第２蓋係合手段位置との間の第１軸に沿った前記蓋係合手段の移動を引き起こし、前記蓋係合手段が前記第１軸からずれた第３蓋係合手段位置に移動可能である、請求項９〜１２のいずれか一項に記載の蓋移動手段。
【請求項１４】
前記作動手段の第３作動手段位置への移動が、前記蓋係合手段の前記第３蓋係合手段位置への移動を引き起こす、請求項１３に記載の蓋移動手段。
【請求項１５】
蓋移動手段であって、
ハウジングと、
前記ハウジングとスライド可能に係合し、蓋係合手段を有する作動手段と、
前記ハウジングとスライド可能に係合する当接手段と、
前記当接手段および前記作動手段と係合し、前記当接手段の移動が前記作動手段の移動を引き起こすように構成された伝達手段とを備え、
前記作動手段が、第１作動手段位置と、前記第１作動手段位置からずれた第２作動手段位置との間で、前記ハウジングに対して移動可能であり、前記蓋係合手段が、使用中に蓋に当接するように、前記作動手段が前記第１作動手段位置および第２作動手段位置にあるときに前記ハウジングの第１表面の平面から突出するように配置されており、
前記作動手段が、第３作動手段位置に移動可能であり、前記第３作動手段位置にあるときに前記蓋係合手段が前記ハウジングの前記第１表面の前記平面から突出する距離が、前記第１作動手段が前記第１作動手段位置または前記第２作動手段位置にあるときに前記蓋係合手段が突出する距離よりも短い、蓋移動手段。
【請求項１６】
前記第１作動手段位置が、前記第２作動手段位置と前記第３作動手段位置との間にある、請求項１５に記載の蓋移動手段。
【請求項１７】
前記作動手段が、第１作動部材を備え、前記蓋係合手段が、前記第１作動部材に回転可能に接続されている、請求項１５または１６に記載の蓋移動手段。
【請求項１８】
前記作動手段の前記第３作動手段位置への移動が、前記第１作動部材に対する前記蓋係合手段の回転を引き起こす、請求項１５〜１７のいずれか一項に記載の蓋移動手段。
【請求項１９】
前記伝達手段が、前記当接手段と係合する第１端部と、前記作動手段と係合する第２端部とを有する伝達部材を備え、前記伝達部材が、前記第１および第２端部の中間に設けられた回転可能な接続部によって前記ハウジングに接続されている、請求項１５〜１８のいずれか一項に記載の蓋移動手段。
【請求項２０】
コンテナ装置の部品キットであって、
請求項９〜１９のいずれか一項に記載の蓋移動手段と、
蓋と、
使用中に、前記蓋が第１蓋位置と、前記第１蓋位置の上方にあり、前記第１蓋位置から側方方向にずれた第２蓋位置との間で移動可能であるように、前記蓋を取付け手段に接続するように適合された接続手段と
を備える部品キット。